(57)【特許請求の範囲】
【請求項１】
壁面に取り付けられる据付板と、
前記据付板を介して前記壁面に取り付けられる室内機本体と、
前記据付板と前記室内機本体との間に着脱自在に取り付けられる傾斜保持部材と、
を備え、
前記据付板は、
前記壁面に沿って取り付けられる平板部と、
前記平板部の上部に設けられた引掛け部と、
前記平板部の下部に設けられ、前記室内機本体側に向かって突出した突出部と、
を有しており、
前記室内機本体は、
前記平板部と対面するように構成された背面部と、
前記背面部の上部に設けられ、前記引掛け部に引っ掛けられる被引掛け部と、
を有しており、
前記被引掛け部が前記引掛け部に引っ掛けられるとともに前記据付板と前記室内機本体との間に前記傾斜保持部材が取り付けられた状態において、
前記傾斜保持部材は、
前記平板部と接触する第１接触面と、
前記突出部と接触する第２接触面と、
前記背面部と接触する第３接触面と、
前記第２接触面と前記第３接触面とを接続し前方から下方を向いた斜面と、
を有する空気調和機の室内機。
【請求項２】
前記被引掛け部が前記引掛け部に引っ掛けられるとともに前記据付板と前記室内機本体との間に前記傾斜保持部材が取り付けられた状態において、
前記背面部は、前記第３接触面と面接触する被接触面を有している請求項１に記載の空気調和機の室内機。
【請求項３】
前記第１接触面と前記第３接触面とは互いに平行に形成されており、
前記被接触面は、前記室内機本体の上下方向に対して傾斜して形成されている請求項２に記載の空気調和機の室内機。
【請求項４】
前記傾斜保持部材は、前記室内機本体の梱包材の一部である請求項１〜請求項３のいずれか一項に記載の空気調和機の室内機。
【請求項５】
前記傾斜保持部材は、前記梱包材のうち、前記室内機本体の前面側に位置する部分である請求項４に記載の空気調和機の室内機。
【請求項６】
前記梱包材には、前記傾斜保持部材を切り出すための切取り溝が形成されている請求項４又は請求項５に記載の空気調和機の室内機。
【発明の詳細な説明】
【技術分野】
【０００１】
本発明は、据付板を介して壁面に取り付けられる室内機本体を備えた空気調和機の室内機に関するものである。
【背景技術】
【０００２】
特許文献１には、壁掛け形空気調和機に対する傾斜保持部材が記載されている。この傾斜保持部材は、空気調和機の梱包材の一部を構成する緩衝材が分割されることによって得られる。空気調和機の配管接続作業を行う場合には、空気調和機の背面側の上端部に設けられた掛止具が壁面に設けられた支持部材に掛止され、かつ、傾斜保持部材によって空気調和機が壁面から傾斜するように保持される。空気調和機と壁面との間に傾斜保持部材が介在することにより、配管接続作業用のスペースが確保される。
【先行技術文献】
【特許文献】
【０００３】
【特許文献１】特開平４−２０７２５号公報
【発明の概要】
【発明が解決しようとする課題】
【０００４】
上記のような傾斜保持部材の配置位置は、配管接続作業を行う作業者の判断によって決められる。このため、傾斜保持部材の配置位置には、ばらつきが生じ得る。壁面に対する空気調和機の室内機の傾斜角度は、上下方向における傾斜保持部材の配置位置に応じて変化する。傾斜保持部材が下寄りに配置されると壁面に対する室内機の傾斜角度が小さくなり、傾斜保持部材が上寄りに配置されると壁面に対する室内機の傾斜角度が大きくなる。壁面に対する室内機の傾斜角度が小さすぎると、配管接続作業用のスペースを十分に確保できなくなる場合がある。一方、壁面に対する室内機の傾斜角度が大きすぎると、掛止具と支持部材との掛止が外れやすくなってしまったり、室内機が天井面に接触してしまったりする場合がある。したがって、特許文献１の傾斜保持部材を用いた場合、配管接続作業を行う際の室内機の傾斜角度を必ずしも適切に設定できないという課題があった。【０００５】
本発明は、上述のような課題を解決するためになされたものであり、配管接続作業を行う際の室内機本体の傾斜角度を適切に設定できる空気調和機の室内機を提供することを目的とする。
【課題を解決するための手段】
【０００６】
本発明に係る空気調和機の室内機は、壁面に取り付けられる据付板と、前記据付板を介して前記壁面に取り付けられる室内機本体と、前記据付板と前記室内機本体との間に着脱自在に取り付けられる傾斜保持部材と、を備え、前記据付板は、前記壁面に沿って取り付けられる平板部と、前記平板部の上部に設けられた引掛け部と、前記平板部の下部に設けられ、前記室内機本体側に向かって突出した突出部と、を有しており、前記室内機本体は、前記平板部と対面するように構成された背面部と、前記背面部の上部に設けられ、前記引掛け部に引っ掛けられる被引掛け部と、を有しており、前記被引掛け部が前記引掛け部に引っ掛けられるとともに前記据付板と前記室内機本体との間に前記傾斜保持部材が取り付けられた状態において、前記傾斜保持部材は、前記平板部と接触する第１接触面と、前記突出部と接触する第２接触面と、前記背面部と接触する第３接触面と、前記第２接触面と前記第３接触面とを接続し前方から下方を向いた斜面と、を有するものである。
【発明の効果】
【０００７】
本発明によれば、据付板と室内機本体との間に取り付けられる傾斜保持部材の上下方向での位置決めを突出部によって行うことができる。これにより、傾斜保持部材の上下方向での配置位置にばらつきが生じるのを防ぐことができる。したがって、配管接続作業を行う際の室内機本体の傾斜角度を適切に設定することができる。
【図面の簡単な説明】
【０００８】
【図１】本発明の実施の形態１に係る空気調和機の室内機の梱包状態の一例を示す分解斜視図である。
【図２】本発明の実施の形態１に係る空気調和機の室内機の緩衝部材３１の構成を示す正面図である。
【図３】本発明の実施の形態１に係る空気調和機の室内機の緩衝部材３１の構成を示す上面図である。
【図４】本発明の実施の形態１に係る空気調和機の室内機の緩衝部材３１の構成を示す側面図である。
【図５】本発明の実施の形態１に係る空気調和機の室内機の緩衝部材３１の構成を示す背面図である。
【図６】本発明の実施の形態１に係る空気調和機の室内機において、室内機本体１０と室内機本体１０が挿入された緩衝部材３１とを斜め下方から見た状態を示す斜視図である。
【図７】本発明の実施の形態１に係る空気調和機の室内機において、室内機本体１０と室内機本体１０が挿入された緩衝部材３１とを斜め上方から見た状態を示す斜視図である。
【図８】本発明の実施の形態１に係る空気調和機の室内機において、室内機本体１０と室内機本体１０が挿入された緩衝部材３１とを室内機本体１０の左右方向に沿って見た状態を示す図である。
【図９】本発明の実施の形態１に係る空気調和機の室内機の据付板２０を室内機本体１０側から見た構成を示す正面図である。
【図１０】本発明の実施の形態１に係る空気調和機の室内機の据付板２０の構成を示す側面図である。
【図１１】本発明の実施の形態１に係る空気調和機の室内機の据付板２０を斜め上方から見た構成を示す斜視図である。
【図１２】本発明の実施の形態１に係る空気調和機の室内機の取付方法の流れの一例を示す図である。
【図１３】本発明の実施の形態１に係る空気調和機の室内機における傾斜保持構造を示す側面図である。
【図１４】本発明の実施の形態１に係る空気調和機の室内機における傾斜保持構造をより詳細に示す図である。
【図１５】本発明の実施の形態１の比較例として、室内機本体１０と据付板２０との間に傾斜保持部材１４０が配置された状態を示す図である。
【図１６】本発明の実施の形態１の比較例として、室内機本体１０と据付板２０との間に傾斜保持部材１４０が配置された状態を示す図である。
【図１７】本発明の実施の形態１の比較例として、室内機本体１０と据付板２０との間に傾斜保持部材１４０が配置された状態を示す図である。
【発明を実施するための形態】
【０００９】
実施の形態１．
本発明の実施の形態１に係る空気調和機の室内機について説明する。図１は、本実施の形態の空気調和機の室内機の梱包状態の一例を示す分解斜視図である。以下の説明において、各構成部材同士の位置関係は、原則として、室内機本体１０が使用可能な状態に設置されたときのものである。同様に、室内機本体１０の左右方向、室内機本体１０の上下方向、及び室内機本体１０の前後方向は、原則として、室内機本体１０が使用可能な状態に設置されたときのものである。
【００１０】
図１に示すように、空気調和機の室内機は、製品として出荷される際の梱包状態において、壁掛形の室内機本体１０と、室内機本体１０を室内の壁面に据え付けるための据付板２０（図１では図示せず）と、室内機本体１０及び据付板２０を覆う梱包材と、を有している。梱包材には、室内機本体１０の左右方向両端部に取り付けられる緩衝部材３１、３２と、室内機本体１０及び緩衝部材３１、３２を収容する箱部材３０と、が含まれる。梱包状態では、据付板２０は、ネジ等を用いて室内機本体１０の背面側に仮止めされている。
【００１１】
室内機本体１０は、室内熱交換器と、室内熱交換器に室内空気を供給するファンと、を筐体内部に有している。室内機本体１０は、冷凍サイクル回路を備えた空気調和機の一部を構成する。空気調和機は、室内機本体１０と、室外に設置される室外機と、室内機本体１０と室外機との間を接続する２本の延長配管と、を有している。２本の延長配管は、室内機本体１０側において、室内熱交換器に接続されている２本の冷媒配管にそれぞれ接続される。
【００１２】
室内機本体１０は、室内から空気を吸い込む吸込口１１を筐体の上面に有している（図７参照）。また、室内機本体１０は、熱交換器を通過した調和空気を室内に吹き出す吹出口１２を筐体の前面下部に有している（図６参照）。冷房運転時には、室内熱交換器は、冷媒を蒸発させる蒸発器として機能する。これにより、室内熱交換器を通過する室内空気は、冷媒との熱交換によって冷却される。一方、暖房運転時には、室内熱交換器は、冷媒を凝縮させる凝縮器として機能する。これにより、室内熱交換器を通過する室内空気は、冷媒との熱交換によって加熱される。
【００１３】
据付板２０は、室内の壁面に取り付けられる板状の部材である。据付板２０は、例えば板金を用いて形成されている。室内機本体１０は、据付板２０を介して壁面に取り付けられる。
【００１４】
緩衝部材３１及び緩衝部材３２は、室内機本体１０の左右方向両端部にそれぞれ取り付けられる一対の部材である。緩衝部材３１及び緩衝部材３２は、輸送の際に外部から室内機本体１０に伝わる衝撃を緩和する機能を有している。緩衝部材３１及び緩衝部材３２のそれぞれは、例えば発泡スチロールを用いて形成されている。緩衝部材３１には、室内機本体１０の左端部が挿入されている。緩衝部材３２には、室内機本体１０の右端部が挿入されている。
【００１５】
箱部材３０は、室内機本体１０、据付板２０、緩衝部材３１及び緩衝部材３２を収容する筒状又は箱状の部材である。図１に示す箱部材３０は、四角筒状の形状を有している。箱部材３０は、例えば段ボールを用いて形成されている。
【００１６】
図２は、本実施の形態に係る空気調和機の室内機の緩衝部材３１の構成を示す正面図である。図３は、本実施の形態に係る空気調和機の室内機の緩衝部材３１の構成を示す上面図である。図４は、本実施の形態に係る空気調和機の室内機の緩衝部材３１の構成を示す側面図である。図５は、本実施の形態に係る空気調和機の室内機の緩衝部材３１の構成を示す背面図である。図６は、本実施の形態に係る空気調和機の室内機において、室内機本体１０と室内機本体１０が挿入された緩衝部材３１とを斜め下方から見た状態を示す斜視図である。図７は、本実施の形態に係る空気調和機の室内機において、室内機本体１０と室内機本体１０が挿入された緩衝部材３１とを斜め上方から見た状態を示す斜視図である。図８は、本実施の形態に係る空気調和機の室内機において、室内機本体１０と室内機本体１０が挿入された緩衝部材３１とを室内機本体１０の左右方向に沿って見た状態を示す図である。図２〜図８に両矢印で示す左右方向、上下方向及び前後方向はそれぞれ、室内機本体１０の左右方向、室内機本体１０の上下方向、及び室内機本体１０の前後方向である。図示を省略しているが、緩衝部材３２は、緩衝部材３１と概ね左右対称となる構成を有している。
【００１７】
図２〜図８に示すように、緩衝部材３１は、室内機本体１０の左端部が挿入される凹部３１ａと、凹部３１ａの外周壁となる四角筒状の側壁部３１ｂと、凹部３１ａの底部となる底面部３１ｃと、を有している。また、緩衝部材３１のうち、室内機本体１０の前面下部に近接する角部、すなわち吹出口１２に近接する角部には、切出し部分３３が設けられている。切出し部分３３は、側壁部３１ｂと底面部３１ｃとに跨がって設けられている。緩衝部材３１のうち、切出し部分３３の周囲には、切出し部分３３を切り出す際の切断位置を案内する切取り溝３４が形成されている。切取り溝３４は、切出し部分３３の輪郭の一部となる。切取り溝３４は、側壁部３１ｂと底面部３１ｃとに跨がって形成されている。底面部３１ｃの切取り溝３４は、室内機本体１０の前面下部の傾斜に概ね沿うように、斜めに延びている。緩衝部材３１が切取り溝３４に沿って切断されると、概ね三角柱形状の切出し部分３３が切り出される。切出し部分３３のうち、底面部３１ｃの切取り溝３４に沿って斜めに切断された切断面は、後述する斜面４４となる。緩衝部材３１から切り出された切出し部分３３は、後述する傾斜保持部材４０として用いられる。緩衝部材３１の底面部３１ｃには、切出し部分３３すなわち傾斜保持部材４０の位置を表示する表示部３５が設けられている。
【００１８】
一般に、室内機本体１０の上面は、前面側が背面側よりも低くなるように傾斜している（図７参照）。また、一般に、室内機本体１０の下面は、前面側が背面側よりも高くなるように傾斜している（図６参照）。このため、緩衝部材３１において室内機本体１０の前面側に位置する側壁部３１ｂは、室内機本体１０の背面側に位置する側壁部３１ｂよりも厚い肉厚を有している。したがって、緩衝部材３１のうち室内機本体１０の前面側に位置する部分に切出し部分３３が設けられることにより、肉厚が厚く強度の高い傾斜保持部材４０が得られる。さらに、一般に、梱包状態の室内機は、室内機本体１０の前面側が上になり背面側が下になるような姿勢で輸送される。このため、緩衝部材３１において室内機本体１０の前面側に位置する部分は、室内機本体１０の背面側に位置する部分よりも、落下等の衝撃により破損する可能性が低い。したがって、緩衝部材３１のうち室内機本体１０の前面側に位置する部分に切出し部分３３が設けられることにより、損傷の少ない傾斜保持部材４０が得られる。
【００１９】
図９は、本実施の形態に係る空気調和機の室内機の据付板２０を室内機本体１０側から見た構成を示す正面図である。図１０は、本実施の形態に係る空気調和機の室内機の据付板２０の構成を示す側面図である。図１１は、本実施の形態に係る空気調和機の室内機の据付板２０を斜め上方から見た構成を示す斜視図である。図９〜図１１に両矢印で示す左右方向、上下方向及び前後方向はそれぞれ、室内機本体１０の左右方向、室内機本体１０の上下方向、及び室内機本体１０の前後方向である。
【００２０】
図９〜図１１に示すように、据付板２０は、全体として、長方形平板状の形状を有している。据付板２０は、室内の壁面に沿って取り付けられる平板部２１と、平板部２１の上部に設けられた少なくとも１つの引掛け部２２と、平板部２１の下部に設けられた突出部２３と、を有している。平板部２１は、概ね長方形平板状の形状を有している。引掛け部２２は、平板部２１の上端部に形成され、平板部２１から室内機本体１０側かつ上方に向かって突出している。引掛け部２２の数が複数である場合、各引掛け部２２は左右方向に並列している。引掛け部２２の数が１つである場合、引掛け部２２は左右方向に延伸している。突出部２３は、平板部２１の下部から室内機本体１０側に向かって突出している。例えば、突出部２３は、据付板２０の下端部が平板部２１に対して直角に折り曲げられることにより形成されている。突出部２３の先端部には、係合部２４が形成されている。係合部２４は、室内機本体１０の下部に形成されている被係合部に係合するように構成されている。
【００２１】
図６〜図８に戻り、室内機本体１０は、据付板２０の平板部２１と対面する背面部１３と、背面部１３の上部に設けられた被引掛け部１４と、を有している。被引掛け部１４は、据付板２０の引掛け部２２に引っ掛けられるように構成されている。
【００２２】
次に、空気調和機の室内機の取付方法について説明する。まず、室内機本体１０を取り付ける際の配管接続作業について説明する。室内機本体１０の２本の室内冷媒配管は、ドレン配管及び電気配線等と共にまとめられ、一方向に引き出される。２本の室内冷媒配管は、２本の延長配管を介して室外機に接続される。室内機本体１０から引き出される室内冷媒配管の引出し方式としては、室内機本体１０の取付け位置と壁に形成された貫通孔の位置との位置関係に応じて、右出し、右下出し、後ろ出し、左出し、又は左後ろ出しのいずれかが選択される。一般に、室内冷媒配管は、室内機本体１０の右寄りに配置されている。このため、引出し方式として左出し又は左後ろ出しが選択された場合には、室内冷媒配管を室内機本体１０の外部まで引き出すことはできず、室内機本体１０と据付板２０との間の空間で配管接続作業を行う必要がある。この場合、室内機本体１０を据付板２０に対して傾斜した状態に維持し、室内機本体１０と据付板２０との間に作業用スペースが確保されるようにすると、配管接続作業を容易に行うことができる。
【００２３】
図１２は、本実施の形態に係る空気調和機の室内機の取付方法の流れの一例を示す図である。図１３は、本実施の形態に係る空気調和機の室内機における傾斜保持構造を示す側面図である。図１４は、本実施の形態に係る空気調和機の室内機における傾斜保持構造をより詳細に示す図である。ここで、図１４では、各部材が備える接触面を明示するために、互いに接触する部材を意図的に離して図示している。図１３及び図１４は、後述するステップＳ５の傾斜保持部材取付け工程が行われた後の状態を示している。
【００２４】
まず、図１２のステップＳ１では、箱部材３０、緩衝部材３１及び緩衝部材３２等の梱包材を開梱する（開梱工程）。これにより、室内機本体１０及び据付板２０が梱包材から取り出される。
【００２５】
ステップＳ２では、ネジ等を用いて据付板２０を室内の壁面５０に取り付ける（据付板取付け工程）。これにより、据付板２０が壁面５０に対して固定される。通常、据付板２０は、壁面５０のうち天井面５１寄りの位置に取り付けられる。
【００２６】
次に、ステップＳ３では、被引掛け部１４が引掛け部２２に引っ掛けられるように、室内機本体１０を据付板２０に引っ掛ける（室内機本体引っ掛け工程）。これにより、室内機本体１０は、据付板２０によって、引掛け部２２を支点として前後方向に揺動可能に支持される。室内機本体１０の重心が引掛け部２２よりも前方に位置しているため、室内機本体１０は、背面部１３と据付板２０の平板部２１とが互いに正対する状態で安定する。
【００２７】
一方、ステップＳ４では、緩衝部材３１を切取り溝３４に沿って切断し、緩衝部材３１から傾斜保持部材４０を切り出す（傾斜保持部材切出し工程）。必要に応じて、もう１つの緩衝部材３２からも傾斜保持部材４０を切り出す。これにより、少なくとも１つの傾斜保持部材４０が準備される。ステップＳ４の傾斜保持部材切出し工程は、ステップＳ１の後であってステップＳ５の前に行われる。
【００２８】
ステップＳ５では、引掛け部２２を支点とし、室内機本体１０に作用する重力に抗して室内機本体１０を前方に揺動させ、室内機本体１０を据付板２０に対して傾斜させる。この状態で、室内機本体１０と据付板２０との間に、少なくとも１つの傾斜保持部材４０を着脱自在に取り付ける（傾斜保持部材取付け工程）。ステップＳ５の傾斜保持部材取付け工程は、ステップＳ３及びステップＳ４の後に行われる。傾斜保持部材４０は、斜面４４が前方かつ下方を向くように取り付けられる。傾斜保持部材４０が取り付けられることにより、据付板２０に対する室内機本体１０の傾斜が維持され、据付板２０と室内機本体１０との間に配管接続作業用スペースが安定して確保される。
【００２９】
図１３及び図１４に示すように、傾斜保持部材４０は、室内機本体１０と据付板２０との間に取り付けられた状態において、平板部２１と接触する第１接触面４１と、突出部２３と接触する第２接触面４２と、背面部１３と接触する第３接触面４３と、を有する。言い換えれば、傾斜保持部材４０は、第１接触面４１と平板部２１とが接触し、第２接触面４２と突出部２３とが接触し、第３接触面４３と背面部１３とが接触するように、室内機本体１０と据付板２０との間に配置される。このとき、第１接触面４１と平板部２１の前面２１ａとは、互いに平行に面接触する。第２接触面４２と突出部２３の上面２３ａとは、互いに平行に面接触する。傾斜保持部材４０の下端に位置する第２接触面４２と突出部２３の上面２３ａとが接触することにより、上下方向での傾斜保持部材４０の位置決めが行われる。傾斜保持部材４０は、室内機本体１０と据付板２０とに挟まれ、室内機本体１０及び据付板２０の双方から押圧された状態で安定する。
【００３０】
傾斜保持部材４０の第１接触面４１及び第２接触面４２は、例えば、互いに垂直となるように形成されている。傾斜保持部材４０の第１接触面４１及び第３接触面４３は、例えば、互いに平行となるように形成されている。第１接触面４１と垂直な方向に見たとき、第１接触面４１及び第３接触面４３は互いに重なるように形成されている。
【００３１】
室内機本体１０の背面部１３の一部には、傾斜保持部材４０の第３接触面４３と平行に面接触する被接触面１３ａが形成されている。被接触面１３ａは、室内機本体１０が据付板２０に対して傾斜した状態で平板部２１と平行になるように、室内機本体１０の上下方向に対して上向きに傾斜した傾斜面となっている。
【００３２】
次に、図１２のステップＳ６では、据付板２０と室内機本体１０との間に形成された配管接続作業用スペースで配管を接続する作業を行う（配管接続工程）。配管接続工程では、室内冷媒配管と延長配管とが接続される。また、配管接続工程では、必要に応じてドレン配管及び電気配線の取り回しも行われる。
【００３３】
次に、ステップＳ７では、据付板２０と室内機本体１０との間から傾斜保持部材４０を取り外す（傾斜保持部材取外し工程）。これにより、据付板２０に対する室内機本体１０の傾斜が維持されなくなる。
【００３４】
次に、ステップＳ８では、室内機本体１０の背面部１３と据付板２０の平板部２１とを対面させ、据付板２０の係合部２４を室内機本体１０の被係合部に係合させて、室内機本体１０を据付板２０に取り付ける（室内機本体取付け工程）。以上のような工程により、室内機本体１０が据付板２０を介して壁面５０に取り付けられる。
【００３５】
図１５、図１６及び図１７は、本実施の形態の比較例として、室内機本体１０と据付板２０との間に傾斜保持部材１４０が配置された状態を示す図である。図１５、図１６及び図１７のそれぞれに示す状態では、上下方向での傾斜保持部材１４０の配置位置が互いに異なっている。傾斜保持部材１４０の配置位置は、通常、配管接続作業を行う作業者の判断によって決められる。このため、傾斜保持部材１４０の配置位置には、図１５、図１６及び図１７に示すようなばらつきが生じ得る。
【００３６】
図１５に示す状態では、室内機本体１０と据付板２０との間に適正な作業用スペースが確保されている。これに対し、図１６に示す状態では、図１５に示す状態よりも傾斜保持部材１４０が下寄りに配置されているため、据付板２０に対する室内機本体１０の傾斜角度が小さくなっている。据付板２０に対する室内機本体１０の傾斜角度が小さくなると、作業用スペースが小さくなる。このため、配管接続作業が困難になる場合があった。
【００３７】
一方、図１７に示す状態では、図１５に示す状態よりも傾斜保持部材１４０が上寄りに配置されているため、据付板２０に対する室内機本体１０の傾斜角度が大きくなっている。据付板２０に対する室内機本体１０の傾斜角度が大きくなると、作業用スペースが大きくなる。しかしながら、据付板２０に対する室内機本体１０の傾斜角度が大きくなると、室内機本体１０と据付板２０との引っ掛かりが外れやすくなってしまったり、室内機本体１０が天井面５１に接触してしまったりする場合があった。
【００３８】
これに対し、本実施の形態では、突出部２３によって傾斜保持部材４０の上下方向での位置決めが行われるため、傾斜保持部材４０の上下方向での配置位置にばらつきが生じるのを防ぐことができる。したがって、配管接続作業を行う際の室内機本体１０の傾斜角度を適切に設定することができる。
【００３９】
以上説明したように、本実施の形態に係る空気調和機の室内機は、壁面５０に取り付けられる据付板２０と、据付板２０を介して壁面５０に取り付けられる室内機本体１０と、据付板２０と室内機本体１０との間に着脱自在に取り付けられる傾斜保持部材４０と、を備えている。据付板２０は、壁面５０に沿って取り付けられる平板部２１と、平板部２１の上部に設けられた引掛け部２２と、平板部２１の下部に設けられ、室内機本体１０側に向かって突出した突出部２３と、を有している。室内機本体１０は、平板部２１と対面するように構成された背面部１３と、背面部１３の上部に設けられ、引掛け部２２に引っ掛けられる被引掛け部１４と、を有している。被引掛け部１４が引掛け部２２に引っ掛けられるとともに据付板２０と室内機本体１０との間に傾斜保持部材４０が取り付けられた状態において、傾斜保持部材４０は、平板部２１と接触する第１接触面４１と、突出部２３と接触する第２接触面４２と、背面部１３と接触する第３接触面４３と、を有する。
【００４０】
この構成によれば、据付板２０と室内機本体１０との間に取り付けられる傾斜保持部材４０の上下方向での位置決めを、突出部２３によって行うことができる。これにより、傾斜保持部材４０の上下方向の配置位置にばらつきが生じるのを防ぐことができるため、配管接続作業を行う際の室内機本体１０の傾斜角度を適切に設定することができる。したがって、配管接続作業を容易に行うことができるとともに、室内機本体１０と据付板２０との引っ掛かりが外れやすくなってしまったり、室内機本体１０が天井面５１に接触してしまったりするのを防ぐことができる。
【００４１】
また、本実施の形態に係る空気調和機の室内機では、被引掛け部１４が引掛け部２２に引っ掛けられるとともに据付板２０と室内機本体１０との間に傾斜保持部材４０が取り付けられた状態において、背面部１３は、第３接触面４３と面接触する被接触面１３ａを有している。この構成によれば、室内機本体１０が据付板２０に対して傾斜した状態をより安定して維持することができる。
【００４２】
また、本実施の形態に係る空気調和機の室内機において、第１接触面４１と第３接触面４３とは互いに平行に形成されており、被接触面１３ａは、室内機本体１０の上下方向に対して傾斜して形成されている。この構成によれば、傾斜保持部材４０が取り付けられた状態において、平板部２１、第１接触面４１、第３接触面４３及び被接触面１３ａが平行になるため、室内機本体１０が据付板２０に対して傾斜した状態をより安定して維持することができる。
【００４３】
また、本実施の形態に係る空気調和機の室内機において、傾斜保持部材４０は、室内機本体１０の緩衝部材３１の一部である。ここで、緩衝部材３１は、梱包材の一例である。この構成によれば、開梱後に廃棄される緩衝部材３１を用いて傾斜保持部材４０が形成されるため、室内機の部品点数の増加を防ぐことができる。したがって、上記構成によれば、室内機の製造コストを削減できる。
【００４４】
また、本実施の形態に係る空気調和機の室内機において、傾斜保持部材４０は、緩衝部材３１のうち、室内機本体１０の前面側に位置する部分である。緩衝部材３１において室内機本体１０の前面側に位置する部分は、室内機本体１０の背面側に位置する部分よりも厚い肉厚を有している。また、梱包状態の室内機は、室内機本体１０の前面側が上になり背面側が下になるような姿勢で輸送される。したがって、上記構成によれば、強度が高くかつ損傷の少ない傾斜保持部材４０が得られる。
【００４５】
また、本実施の形態に係る空気調和機の室内機において、緩衝部材３１には、傾斜保持部材４０を切り出すための切取り溝３４が形成されている。この構成によれば、緩衝部材３１から傾斜保持部材４０を容易に切り出すことができる。
【符号の説明】
【００４６】
１０  室内機本体、１１  吸込口、１２  吹出口、１３  背面部、１３ａ  被接触面、１４  被引掛け部、２０  据付板、２１  平板部、２１ａ  前面、２２  引掛け部、２３  突出部、２３ａ  上面、２４  係合部、３０  箱部材、３１  緩衝部材、３１ａ  凹部、３１ｂ  側壁部、３１ｃ  底面部、３２  緩衝部材、３３  切出し部分、３４  切取り溝、３５  表示部、４０  傾斜保持部材、４１  第１接触面、４２  第２接触面、４３  第３接触面、４４  斜面、５０  壁面、５１  天井面、１４０  傾斜保持部材。
【図１】
0006984039.tif 000002
【図２】
0006984039.tif 000003
【図３】
0006984039.tif 000004
【図４】
0006984039.tif 000005
【図５】
0006984039.tif 000006
【図６】
0006984039.tif 000007
【図７】
0006984039.tif 000008
【図８】
0006984039.tif 000009
【図９】
0006984039.tif 000010
【図１０】
0006984039.tif 000011
【図１１】
0006984039.tif 000012
【図１２】
0006984039.tif 000013
【図１３】
0006984039.tif 000014
【図１４】
0006984039.tif 000015
【図１５】
0006984039.tif 000016
【図１６】
0006984039.tif 000017
【図１７】
0006984039.tif 000018